(57)【特許請求の範囲】
【請求項１】
複数の分け方を用いて、分け方によって異なる複数のエリアに分けられるとともに前記複数のエリアよりも細かい複数の区域に分けられた地理範囲に含まれるエリアごとに、エリアの位置及び形状を示すエリア情報を記憶装置により記憶するエリア情報記憶部と、
前記地理範囲に含まれる区域ごとに、区域の気象によって色分けされた気象画像を記憶装置により記憶する気象画像記憶部と、
前記気象画像記憶部に記憶された気象画像から、同じ色が連続している部分を検出し、前記エリア情報記憶部に記憶されたエリア情報に基づいて、前記地理範囲に含まれる、分け方によって異なる複数のエリアのうち、検出した部分を一定の割合で広げた範囲と位置及び形状が近似するエリアを選択し、選択したエリアの気象を判断する気象判断部と
を備えることを特徴とする気象判断装置。
【請求項２】
前記複数の分け方として、行政区分と行政区分以外の分け方とが用いられることを特徴とする請求項１の気象判断装置。
【請求項３】
前記気象判断部により選択されたエリアについて、前記気象判断部により判断された気象を通知する文章を作成する文章作成部
をさらに備えることを特徴とする請求項１の気象判断装置。
【請求項４】
コンピュータを、請求項１から３のいずれかの気象判断装置として機能させるためのプログラム。
【発明の詳細な説明】
【技術分野】
【０００１】
本発明は、気象判断装置及びプログラムに関するものである。本発明は、例えば、気象画像を任意に切った範囲の色割合による原稿自動作成に関するものである。
【背景技術】
【０００２】
現状では、天気番組の放送用原稿は、専門知識のある人が天気図や衛星画像等の気象情報を見て、作成している。これでは、専門家がいなければ原稿が作成できないし、人的ミスも０にはできない。
【０００３】
従来、画像の特徴を抽出して、その特徴に近い特徴をもつ形容詞を含む文章を作成する技術がある（例えば、特許文献１参照）。また、画像中の被写体の色を検出して、その色の名称を含む文章を作成する技術がある（例えば、特許文献２参照）。
【先行技術文献】
【特許文献】
【０００４】
【特許文献１】特開２００１−１９５５７９号公報
【特許文献２】特開２００８−２５７３５８号公報
【発明の概要】
【発明が解決しようとする課題】
【０００５】
従来技術では、気象画像を分析して、天気を自動的に判断したり、天気番組の放送用原稿を自動的に作成したりすることができないという課題があった。
【０００６】
本発明は、例えば、気象画像を分析して、特定のエリアの気象を自動的に判断することを目的とする。
【課題を解決するための手段】
【０００７】
本発明の一の態様に係る気象判断装置は、
複数のエリアに分けられるとともに前記複数のエリアよりも細かい複数の区域に分けられた地理範囲に含まれるエリアごとに、エリアの位置及び形状を示すエリア情報を記憶装置により記憶するエリア情報記憶部と、
前記地理範囲に含まれる区域ごとに、区域の気象によって色分けされた気象画像を記憶装置により記憶する気象画像記憶部と、
前記気象画像記憶部に記憶された気象画像内の色の分布を分析し、分析結果と前記エリア情報記憶部に記憶されたエリア情報とに基づいて、前記地理範囲に含まれる少なくとも１つのエリアの気象を判断する気象判断部とを備える。
【０００８】
本発明の一の態様において、
前記気象判断部は、前記地理範囲に含まれるエリアごとに、前記エリア情報記憶部に記憶されたエリア情報が示す位置及び形状から、前記気象画像記憶部に記憶された気象画像内でエリアに相当する部分を特定し、特定した部分における色の分布を分析し、分析結果に基づいて、エリアの気象を判断する。
【０００９】
本発明の一の態様に係る気象判断装置は、
前記気象画像記憶部に記憶された気象画像の一部分を分析対象としたときの当該部分に含まれる色の割合に対して、当該部分の気象を定義する定義情報を記憶装置により記憶する定義情報記憶部をさらに備え、
前記気象判断部は、前記地理範囲に含まれるエリアごとに、特定した部分に含まれる色の割合を計算し、計算した割合に対して、前記定義情報記憶部に記憶された定義情報で定義された気象をエリアの気象として判断する。
【００１０】
本発明の一の態様に係る気象判断装置は、
前記地理範囲に含まれるエリアごとに、前記気象判断部により判断された気象を通知する文章を作成する文章作成部をさらに備える。
【００１１】
本発明の一の態様において、
前記地理範囲は、複数の分け方を用いて、分け方によって異なる複数のエリアに分けられ、
前記エリア情報記憶部は、分け方ごとに、異なるエリア情報を記憶し、
前記気象判断部は、前記気象画像記憶部に記憶された気象画像から、同じ色が一定以上の割合を占める部分を検出し、前記エリア情報記憶部に記憶されたエリア情報に基づいて、前記地理範囲に含まれる、分け方によって異なる複数のエリアのうち、検出した部分と位置及び形状が近似するエリアを選択し、選択したエリアの気象を判断する。
【００１２】
本発明の一の態様に係る気象判断装置は、
前記気象判断部により選択されたエリアについて、前記気象判断部により判断された気象を通知する文章を作成する文章作成部をさらに備える。
【００１３】
本発明の一の態様に係るプログラムは、
コンピュータを、前記気象判断装置として機能させるためのプログラムである。
【発明の効果】
【００１４】
本発明の一の態様によれば、区域ごとに区域の気象によって色分けされた気象画像内の色の分布を分析し、分析結果と、エリアごとにエリアの位置及び形状を示すエリア情報とに基づいて、特定のエリアの気象を自動的に判断することが可能となる。
【図面の簡単な説明】
【００１５】
【図１】実施の形態１及び２に係る気象判断装置の構成を示すブロック図。
【図２】実施の形態１に係る気象判断装置により用いられる定義情報の一例を示す表。
【図３】実施の形態１に係る気象判断装置の動作を示すフローチャート。
【図４】実施の形態１に係る気象判断装置の動作を示すフローチャート。
【図５】実施の形態１及び２に係る気象判断装置のハードウェア構成の一例を示す図。
【発明を実施するための形態】
【００１６】
以下、本発明の実施の形態について、図を用いて説明する。
【００１７】
実施の形態１．
【００１８】
図１は、本実施の形態に係る気象判断装置１００の構成を示すブロック図である。図２は、気象判断装置１００により用いられる定義情報の一例を示す表である。図３及び図４は、気象判断装置１００の動作を示すフローチャートである。
【００１９】
図１において、気象判断装置１００は、エリア情報記憶部１０１、気象画像記憶部１０２、定義情報記憶部１０３、気象判断部１０４、文章作成部１０５を備える。
【００２０】
また、気象判断装置１００は、図示していないが、処理装置１９１、記憶装置１９２、入力装置１９３、出力装置１９４等のハードウェアを備える。ハードウェアは気象判断装置１００の各部によって利用される。例えば、処理装置１９１は、気象判断装置１００の各部でデータや情報の演算、加工、読み取り、書き込み等を行うために利用される。記憶装置１９２は、そのデータや情報を記憶するために利用される。また、入力装置１９３は、そのデータや情報を入力するために、出力装置１９４は、そのデータや情報を出力するために利用される。
【００２１】
エリア情報記憶部１０１は、日本地図内の都道府県ごとに、都道府県の位置及び形状を示すエリア情報を記憶装置１９２により記憶する。日本地図は、５０ｍ（メートル）メッシュで複数の区域（５０ｍ四方の区域）に分けられている。エリア情報では、これら複数の区域のうち、どの区域の集合がどの都道府県に相当するか（即ち、どの区域がどの都道府県に含まれるか）を定義することにより、各都道府県の位置及び形状が示されている。
【００２２】
日本地図（即ち、日本）は、複数のエリアに分けられるとともにこれら複数のエリアよりも細かい複数の区域に分けられた地理範囲の一例である。日本の代わりに、都道府県等の行政区分又はその他の分け方で定義された１つの地域、他の国、他の国の１つの地域、世界、あるいは、世界の１つの地域を、地理範囲として扱ってもよい。
【００２３】
都道府県は、日本地図に含まれる行政区分の一例であり、行政区分は、複数のエリアの一例である。都道府県の代わりに、市区町村等の他の行政区分又はその他の分け方で定義された複数の地域を、複数のエリアとして扱ってもよい。
【００２４】
５０ｍメッシュの複数の区域は、日本地図に含まれる複数の区域の一例である。各区域の大きさは、５０ｍ四方に限るものではなく、エリアよりも小さければ任意の大きさ及び形状に設定してよい。
【００２５】
気象画像記憶部１０２は、日本地図内の区域ごとに、区域の天気によって色分けされた気象画像を記憶装置１９２により記憶する。気象画像では、日本地図上の各５０ｍ四方の区域が、晴れならばオレンジ、曇りならばグレー、雨ならば水色といった具合に色付けされている。なお、どの天気を何色に対応付けるかは任意に設定してよい。
【００２６】
天気は、気象の一例である。天気は、過去又は現在の実際の天気であってもよいし、予報の天気であってもよい。また、天気の代わりに、気温、降水量（又は降水確率）、湿度、日射量、風向・風速等を、気象として扱ってもよい。また、花粉、放射性物質、光化学スモッグの原因物質等の飛散量・浮遊量を、広義の気象として扱ってもよい。
【００２７】
定義情報記憶部１０３は、気象画像記憶部１０２に記憶された気象画像の一部分を分析対象としたときの当該部分に含まれる色の割合に対して、当該部分の天気を定義する定義情報を記憶装置１９２により記憶する。図２に示すように、定義情報では、色の割合が、１０％オレンジならば快晴、８０％以上１００％未満オレンジならば晴れ、６０％以上８０％未満オレンジならばほぼ晴れ、・・・、５０％以上グレーならば曇り、・・・、１００％水色ならば雨、・・・といった具合に、天気に対応付けられている。なお、どのような色の割合をどの天気に対応付けるかは任意に設定してよい。
【００２８】
色の割合は、色の分布の一例である。分析対象とする部分に含まれる色の割合の代わりに、分析対象とする部分に含まれる色のＲＧＢ値の平均値等を、色の分布として扱ってもよい。
【００２９】
気象判断部１０４は、気象画像記憶部１０２に記憶された気象画像内の色の分布を処理装置１９１により分析し、分析結果とエリア情報記憶部１０１に記憶されたエリア情報とに基づいて、日本地図内の少なくとも１つの都道府県の天気を処理装置１９１により判断する。
【００３０】
具体的には、図３に示すように、気象判断部１０４は、気象画像記憶部１０２に記憶された気象画像を入力する。気象判断部１０４は、日本地図内の都道府県ごとに、エリア情報記憶部１０１に記憶されたエリア情報が示す位置及び形状から、気象画像記憶部１０２に記憶された気象画像内で都道府県に相当する部分を処理装置１９１により特定する。気象判断部１０４は、日本地図内の都道府県ごとに、特定した部分に含まれる色の割合を処理装置１９１により計算し、計算した割合に対して、定義情報記憶部１０３に記憶された定義情報で定義された天気を都道府県の天気として判断する。
【００３１】
例えば、気象判断部１０４は、エリア情報記憶部１０１に記憶されたエリア情報から、気象画像記憶部１０２に記憶された気象画像内で、どの区域が大阪府に含まれるかを特定し、大阪府に含まれる区域の色の割合を計算する。気象判断部１０４は、大阪府に含まれる区域の１０％がオレンジならば快晴、８０％以上１００％未満がオレンジならば晴れ、６０％以上８０％未満がオレンジならばほぼ晴れ、・・・といった具合に、大阪府の天気を判断する。同様に、気象判断部１０４は、兵庫県、京都府、滋賀県等の天気も判断する。
【００３２】
文章作成部１０５は、日本地図内の都道府県ごとに、気象判断部１０４により判断された天気を通知する文章を処理装置１９１により作成して出力装置１９４により出力する。
【００３３】
具体的には、図４に示すように、文章作成部１０５は、気象判断部１０４の時系列の判断結果から、各都道府県の天気を時刻ごとに表現する文章を処理装置１９１により作成し、作成した文章を含む天気番組の放送用原稿を出力装置１９４により出力する。
【００３４】
例えば、文章作成部１０５は、気象判断部１０４の判断結果から、大阪府、兵庫県、京都府、滋賀県等の天気を表現する文章を含む天気番組の放送用原稿を作成する。このとき、文章作成部１０５は、同じ地方（例えば、近畿地方）の全ての都道府県の天気が同じ場合は、各都道府県について個別に天気を表現する文章（例えば、「大阪は晴れ、兵庫は晴れ、・・・晴れでしょう」）の代わりに、該当する地方の天気を一括で表現する文章（例えば、「近畿は晴れでしょう」）を含む天気番組の放送用原稿を作成してもよい。
【００３５】
また、例えば、文章作成部１０５は、気象判断部１０４の時系列の判断結果から、大阪府、兵庫県、京都府、滋賀県等の天気の変化（例えば、１時間後と１２時間後と２４時間後の天気）を表現する文章を含む天気番組の放送用原稿を作成してもよい。このとき、文章作成部１０５は、同じ都道府県の天気に変化がない場合は、各時点について個別に天気を表現する文章（例えば、「大阪は、１時間後に晴れ、１２時間後に晴れ、・・・晴れでしょう」）の代わりに、該当する日の天気を一括で表現する文章（例えば、「大阪は、１日を通して晴れでしょう」）を含む天気番組の放送用原稿を作成してもよい。
【００３６】
また、例えば、文章作成部１０５は、原稿の内容について、提供する放送局の地域性を鑑み、その地域の特徴を盛り込んだ内容にすることで、視聴者にとってわかりやすく、なじみ深いものにすることができる。例えば、農業地帯では、雨が降る場合でも多少の雨であれば「恵みの雨」と表現したり、漁村部では「あいにくの雨」と表現したりできるように設定しておくことで、原稿に付加価値を付ける。表現の設定は、データベースのテーブル等で変更できるようにしておくことで、柔軟性の高いシステムを提供することが可能となる。
【００３７】
上記のように、本実施の形態によれば、５０ｍメッシュの区域ごとに区域の天気によって色分けされた気象画像内の色の分布を分析し、分析結果と、都道府県ごとに都道府県の位置及び形状を示すエリア情報とに基づいて、特定の都道府県の天気を自動的に判断することが可能となる。また、その判断結果を利用して、天気番組の放送用原稿を自動的に作成することが可能となる。
【００３８】
本実施の形態において、気象画像として、メッシュ画像の代わりに、衛星画像、天気図等を用いてもよい。衛星画像を用いる場合、気象判断部１０４は、雲の濃淡を色として認識する。
【００３９】
実施の形態２．
本実施の形態について、主に実施の形態１との差異を説明する。
【００４０】
本実施の形態に係る気象判断装置１００の構成は、図１に示した実施の形態１のものと同様である。
【００４１】
実施の形態１では、日本地図内の都道府県のみを複数のエリアとして扱うが、本実施の形態では、都道府県以外にも、都道府県又はその一部を複数纏めた地方（例えば、近畿地方）、都道府県を細分化した地域（例えば、滋賀県の湖西及び湖東）や市区町村、複数の都道府県に部分的に跨って広がるものを含むランドマークの周辺地域（例えば、静岡県の一部と山梨県の一部とが含まれる富士山周辺）や観光地等も、複数のエリアとして扱う。つまり、実施の形態１では、地理範囲が１つの分け方を用いて複数のエリアに分けられるが、本実施の形態では、地理範囲が複数の分け方を用いて、分け方によって異なる複数のエリアに分けられる。
【００４２】
エリア情報記憶部１０１は、日本地図の分け方ごとに、異なるエリア情報を記憶する。都道府県に関するエリア情報では、実施の形態１と同様に、５０ｍメッシュの複数の区域のうち、どの区域の集合がどの都道府県に相当するか（即ち、どの区域がどの都道府県に含まれるか）を定義することにより、各都道府県の位置及び形状が示されている。地方に関するエリア情報では、５０ｍメッシュの複数の区域のうち、どの区域の集合がどの地方に相当するか（即ち、どの区域がどの地方に含まれるか）を定義することにより、各地方の位置及び形状が示されている。都道府県内の地域に関するエリア情報、市区町村に関するエリア情報、ランドマークの周辺地域に関するエリア情報、観光地に関するエリア情報でも、同様に、各地域、各市区町村、各ランドマークの周辺地域、各観光地の位置及び形状が示されている。なお、地方に関するエリア情報、都道府県に関するエリア情報、都道府県内の地域に関するエリア情報、市区町村に関するエリア情報は、階層化して定義してもよい。つまり、地方に関するエリア情報では、どの都道府県の集合がどの地方に相当するかが定義され、都道府県に関するエリア情報では、どの市区町村の集合がどの都道府県に相当するかが定義され、都道府県内の地域に関するエリア情報では、どの市区町村の集合がどの地域に相当するかが定義されていてもよい。
【００４３】
気象判断部１０４は、気象画像記憶部１０２に記憶された気象画像から、同じ色が一定以上の割合を占める部分を処理装置１９１により検出する。気象判断部１０４は、エリア情報記憶部１０１に記憶されたエリア情報に基づいて、日本地図に含まれる、分け方によって異なる複数のエリアのうち、検出した部分と位置及び形状が近似するエリアを処理装置１９１により選択し、選択したエリアの天気を処理装置１９１により判断する。
【００４４】
例えば、気象判断部１０４は、気象画像記憶部１０２に記憶された気象画像から、オレンジが連続している部分（オレンジが１００％を占める部分）を快晴エリアとして検出する。気象判断部１０４は、エリア情報記憶部１０１に記憶された地方、都道府県、都道府県内の地域、市区町村、ランドマークの周辺地域、観光地等のそれぞれに関するエリア情報から、快晴エリアとして検出した部分と位置及び形状が最も近いエリアを近似エリアとして選択する。仮に近似エリアが滋賀県の湖西であるとすると、気象判断部１０４は、滋賀県の湖西の天気を快晴と判断する。実施の形態１で同様の気象画像を用いた場合、気象判断部１０４は、滋賀県全体でしか天気を判断することができない。しかし、同じ滋賀県内でも湖西と湖東では天気が異なることがある。これに対して、本実施の形態では、滋賀県の湖西の天気を個別に判断することができるため、より有用な情報を提供することが可能となる。
【００４５】
また、例えば、気象判断部１０４は、気象画像記憶部１０２に記憶された気象画像から、オレンジが連続している部分及びそれを２５％広げた範囲（オレンジが８０％以上１００％未満を占める部分）を晴れエリアとして検出する。気象判断部１０４は、エリア情報記憶部１０１に記憶された地方、都道府県、都道府県内の地域、市区町村、ランドマークの周辺地域、観光地等のそれぞれに関するエリア情報から、晴れエリアとして検出した部分と位置及び形状が最も近いエリアを近似エリアとして選択する。仮に近似エリアが近畿地方であるとすると、気象判断部１０４は、近畿地方の天気を晴れと判断する。実施の形態１で同様の気象画像を用いた場合、気象判断部１０４は、大阪府、兵庫県、京都府、滋賀県といった近畿地方の各都道府県について個別に天気を判断することになる。これに対して、本実施の形態では、近畿地方の天気を一括で判断することができるため、より効率的である。
【００４６】
文章作成部１０５は、気象判断部１０４により選択されたエリアについて、気象判断部１０４により判断された天気を通知する文章を処理装置１９１により作成して出力装置１９４により出力する。
【００４７】
例えば、文章作成部１０５は、気象判断部１０４の判断結果から、近畿地方が全体的に晴れており、特に滋賀県の湖西が快晴であるといった内容の文章を作成し、この文章を含む天気番組の放送用原稿を出力する。
【００４８】
図５は、実施の形態１及び２に係る気象判断装置１００のハードウェア構成の一例を示す図である。
【００４９】
図５において、気象判断装置１００は、コンピュータであり、ＬＣＤ９０１（Ｌｉｑｕｉｄ・Ｃｒｙｓｔａｌ・Ｄｉｓｐｌａｙ）、キーボード９０２（Ｋ／Ｂ）、マウス９０３、ＦＤＤ９０４（Ｆｌｅｘｉｂｌｅ・Ｄｉｓｋ・Ｄｒｉｖｅ）、ＣＤＤ９０５（Ｃｏｍｐａｃｔ・Ｄｉｓｃ・Ｄｒｉｖｅ）、プリンタ９０６といったハードウェアデバイスを備えている。これらのハードウェアデバイスはケーブルや信号線で接続されている。ＬＣＤ９０１の代わりに、ＣＲＴ（Ｃａｔｈｏｄｅ・Ｒａｙ・Ｔｕｂｅ）、あるいは、その他の表示装置が用いられてもよい。マウス９０３の代わりに、タッチパネル、タッチパッド、トラックボール、ペンタブレット、あるいは、その他のポインティングデバイスが用いられてもよい。
【００５０】
気象判断装置１００は、プログラムを実行するＣＰＵ９１１（Ｃｅｎｔｒａｌ・Ｐｒｏｃｅｓｓｉｎｇ・Ｕｎｉｔ）を備えている。ＣＰＵ９１１は、処理装置１９１の一例である。ＣＰＵ９１１は、バス９１２を介してＲＯＭ９１３（Ｒｅａｄ・Ｏｎｌｙ・Ｍｅｍｏｒｙ）、ＲＡＭ９１４（Ｒａｎｄｏｍ・Ａｃｃｅｓｓ・Ｍｅｍｏｒｙ）、通信ボード９１５、ＬＣＤ９０１、キーボード９０２、マウス９０３、ＦＤＤ９０４、ＣＤＤ９０５、プリンタ９０６、ＨＤＤ９２０（Ｈａｒｄ・Ｄｉｓｋ・Ｄｒｉｖｅ）と接続され、これらのハードウェアデバイスを制御する。ＨＤＤ９２０の代わりに、フラッシュメモリ、光ディスク装置、メモリカードリーダライタ、あるいは、その他の記録媒体が用いられてもよい。
【００５１】
ＲＡＭ９１４は、揮発性メモリの一例である。ＲＯＭ９１３、ＦＤＤ９０４、ＣＤＤ９０５、ＨＤＤ９２０は、不揮発性メモリの一例である。これらは、記憶装置１９２の一例である。通信ボード９１５、キーボード９０２、マウス９０３、ＦＤＤ９０４、ＣＤＤ９０５は、入力装置１９３の一例である。また、通信ボード９１５、ＬＣＤ９０１、プリンタ９０６は、出力装置１９４の一例である。
【００５２】
通信ボード９１５は、ＬＡＮ（Ｌｏｃａｌ・Ａｒｅａ・Ｎｅｔｗｏｒｋ）等に接続されている。通信ボード９１５は、ＬＡＮに限らず、ＩＰ−ＶＰＮ（Ｉｎｔｅｒｎｅｔ・Ｐｒｏｔｏｃｏｌ・Ｖｉｒｔｕａｌ・Ｐｒｉｖａｔｅ・Ｎｅｔｗｏｒｋ）、広域ＬＡＮ、ＡＴＭ（Ａｓｙｎｃｈｒｏｎｏｕｓ・Ｔｒａｎｓｆｅｒ・Ｍｏｄｅ）ネットワークといったＷＡＮ（Ｗｉｄｅ・Ａｒｅａ・Ｎｅｔｗｏｒｋ）、あるいは、インターネットに接続されていても構わない。ＬＡＮ、ＷＡＮ、インターネットは、ネットワークの一例である。
【００５３】
ＨＤＤ９２０には、オペレーティングシステム９２１（ＯＳ）、ウィンドウシステム９２２、プログラム群９２３、ファイル群９２４が記憶されている。プログラム群９２３のプログラムは、ＣＰＵ９１１、オペレーティングシステム９２１、ウィンドウシステム９２２により実行される。プログラム群９２３には、各実施の形態の説明において「〜部」として説明する機能を実行するプログラムが含まれている。プログラムは、ＣＰＵ９１１により読み出され実行される。ファイル群９２４には、各実施の形態の説明において、「〜データ」、「〜情報」、「〜ＩＤ（識別子）」、「〜フラグ」、「〜結果」として説明するデータや情報や信号値や変数値やパラメータが、「〜ファイル」や「〜データベース」や「〜テーブル」の各項目として含まれている。「〜ファイル」や「〜データベース」や「〜テーブル」は、ＲＡＭ９１４やＨＤＤ９２０等の記録媒体に記憶される。ＲＡＭ９１４やＨＤＤ９２０等の記録媒体に記憶されたデータや情報や信号値や変数値やパラメータは、読み書き回路を介してＣＰＵ９１１によりメインメモリやキャッシュメモリに読み出され、抽出、検索、参照、比較、演算、計算、制御、出力、印刷、表示といったＣＰＵ９１１の処理（動作）に用いられる。抽出、検索、参照、比較、演算、計算、制御、出力、印刷、表示といったＣＰＵ９１１の処理中、データや情報や信号値や変数値やパラメータは、メインメモリやキャッシュメモリやバッファメモリに一時的に記憶される。
【００５４】
各実施の形態の説明において用いるブロック図やフローチャートの矢印の部分は主としてデータや信号の入出力を示す。データや信号は、ＲＡＭ９１４等のメモリ、ＦＤＤ９０４のフレキシブルディスク（ＦＤ）、ＣＤＤ９０５のコンパクトディスク（ＣＤ）、ＨＤＤ９２０の磁気ディスク、光ディスク、ＤＶＤ（Ｄｉｇｉｔａｌ・Ｖｅｒｓａｔｉｌｅ・Ｄｉｓｃ）、あるいは、その他の記録媒体に記録される。また、データや信号は、バス９１２、信号線、ケーブル、あるいは、その他の伝送媒体により伝送される。
【００５５】
各実施の形態の説明において「〜部」として説明するものは、「〜回路」、「〜装置」、「〜機器」であってもよく、また、「〜ステップ」、「〜工程」、「〜手順」、「〜処理」であってもよい。即ち、「〜部」として説明するものは、ＲＯＭ９１３に記憶されたファームウェアで実現されていても構わない。あるいは、「〜部」として説明するものは、ソフトウェアのみ、あるいは、素子、デバイス、基板、配線といったハードウェアのみで実現されていても構わない。あるいは、「〜部」として説明するものは、ソフトウェアとハードウェアとの組み合わせ、あるいは、ソフトウェアとハードウェアとファームウェアとの組み合わせで実現されていても構わない。ファームウェアとソフトウェアは、プログラムとして、フレキシブルディスク、コンパクトディスク、磁気ディスク、光ディスク、ＤＶＤ等の記録媒体に記憶される。プログラムはＣＰＵ９１１により読み出され、ＣＰＵ９１１により実行される。即ち、プログラムは、各実施の形態の説明で述べる「〜部」としてコンピュータを機能させるものである。あるいは、プログラムは、各実施の形態の説明で述べる「〜部」の手順や方法をコンピュータに実行させるものである。
【００５６】
以上、本発明の実施の形態について説明したが、これらの実施の形態のうち、２つ以上を組み合わせて実施しても構わない。あるいは、これらの実施の形態のうち、１つを部分的に実施しても構わない。あるいは、これらの実施の形態のうち、２つ以上を部分的に組み合わせて実施しても構わない。なお、本発明は、これらの実施の形態に限定されるものではなく、必要に応じて種々の変更が可能である。
【符号の説明】
【００５７】
１００  気象判断装置、１０１  エリア情報記憶部、１０２  気象画像記憶部、１０３  定義情報記憶部、１０４  気象判断部、１０５  文章作成部、１９１  処理装置、１９２  記憶装置、１９３  入力装置、１９４  出力装置、９０１  ＬＣＤ、９０２  キーボード、９０３  マウス、９０４  ＦＤＤ、９０５  ＣＤＤ、９０６  プリンタ、９１１  ＣＰＵ、９１２  バス、９１３  ＲＯＭ、９１４  ＲＡＭ、９１５  通信ボード、９２０  ＨＤＤ、９２１  オペレーティングシステム、９２２  ウィンドウシステム、９２３  プログラム群、９２４  ファイル群。
【要約】
【課題】気象画像を分析して、特定のエリアの気象を自動的に判断する。
【解決手段】気象判断装置１００において、エリア情報記憶部１０１は、日本地図内の都道府県ごとに、都道府県の位置及び形状を示すエリア情報を記憶する。気象画像記憶部１０２は、日本地図内の区域ごとに、区域の天気によって色分けされた気象画像を記憶する。気象判断部１０４は、気象画像記憶部１０２に記憶された気象画像内の色の分布を分析し、分析結果とエリア情報記憶部１０１に記憶されたエリア情報とに基づいて、日本地図内の少なくとも１つの都道府県の天気を判断する。文章作成部１０５は、日本地図内の都道府県ごとに、気象判断部１０４により判断された天気を通知する文章を作成して出力する。
【選択図】図１【図１】
0005503766.tif 000002
【図２】
0005503766.tif 000003
【図３】
0005503766.tif 000004
【図４】
0005503766.tif 000005
【図５】
0005503766.tif 000006